(57)【要約】【課題】  【解決手段】  本発明は、安全性若しくはセキュリティーの目的のため、選択可能な電磁周波数からの防護のため、指定された領域あるいは場所に置かれたワイヤレス通信機器の送受信を遮断するシステムである。さらに、前記システムは、特に前記ワイヤレス機器（８）から送信される前記選択可能な周波数を検出及び特定する要素（１０、１２、１４、１６）と、前記装置によって受信される周波数を遮断するサブシステム（１４）と、前記検出する要素（１６）と前記遮断する要素間で電気的通信をする要素（１８、２０）と、前記遮断する要素に対する起動装置とを含む。前記システムは、前記ワイヤレス機器と十分に近い位置関係に位置しなければならない、これによりこのワイヤレス機器によって発生する周波数を受信し、及び許容されない出力レベルを使用せずにノイズを遮断（２２）できる。
2005514819.tif 000002
【特許請求の範囲】
【請求項１】
選択可能な電磁周波数からの保護のために指定された場所に置かれたワイヤレス通信機器の送受信を選択的に遮断するためのシステムであって、
（ａ）前記機器によって送信される選択された電磁周波数を検出及び特定する手段と、
（ｂ）前記周波数を遮断する手段と、
（ｃ）前記検出する手段と前記遮断する手段間で電気的通信をする手段と、
（ｄ）前記遮断する手段を起動する手段と、
を有するシステム。
【請求項２】
請求項１のシステムであって、前記遮断する手段は、さらに、
遮断される前記電磁周波数を選択する手段を含むシステム。
【請求項３】
請求項１のシステムにおいて、前記遮断する手段は、
前記遮断する手段の作動時間を調整する手段を有するシステム。
【請求項４】
請求項３のシステムにおいて、前記信号は、
前記選択された周波数内の電磁ノイズ源であって、この電磁ノイズ源は前記通信機器が通常に作動する周波数と少なくとも同等の振幅を有するシステム。
【請求項５】
請求項２のシステムであって、前記システムは、さらに、
その起動後に前記遮断する手段の前記電磁ノイズの持続時間を制限する手段を有するシステム。
【請求項６】
請求項３のシステムであって、前記システムは、さらに、
前記電磁遮断する手段の出力を調節する手段を有し、これによってその有効範囲が制御されるシステム。
【請求項７】
請求項１のシステムにおいて、前記遮断する手段と前記ワイヤレス通信機器間で選択可能な前記電気的通信をする手段は、
前記指定された場所内の前記選択された電磁周波数内の前記ワイヤレス通信機器からのあらゆる送信の試みを検出する手段を有するシステム。
【請求項８】
請求項７のシステムであって、このシステムは、さらに、
前記選択された周波数内で前記電磁ノイズを発生する前記手段に対して前記機器からの送信を受け取る手段を有し、
その結果、前記選択された電磁周波数上における前記ワイヤレス機器による後続信号の受信を遮断するシステム。
【請求項９】
請求項７のシステムにおいて、前記遮断する手段は、
前記選択された周波数内の電磁ノイズ源であって、この電磁ノイズ源は前記通信機器が通常に作動する周波数と少なくとも同等の振幅を有するシステム。
【請求項１０】
請求項７のシステムであって、前記システムは、さらに、
その起動後に前記遮断する手段の前記電磁ノイズの持続時間を制限する手段を有するシステム。
【請求項１１】
請求項１のシステムであって、このシステムは、さらに、
前記電磁遮断する手段の出力を調節する手段を有し、これによってその有効範囲が制御されるシステム。
【請求項１２】
請求項１１のシステムにおいて、前記遮断する手段は、前記ノイズ源を有する電気的通信による発信器を含むシステム。
【請求項１３】
請求項４のシステムであって、このシステムは、さらに、前記遮断する手段に対して無効にする手段を有するシステム。
【請求項１４】
請求項１３のシステムにおいて、前記無効にする手段は、遠隔操作によって無効にする手段を有するシステム。
【請求項１５】
請求項６のシステムにおいて、前記無効にする手段は、遠隔操作によって無効にする手段を有するシステム。
【発明の詳細な説明】
【技術分野】
【０００１】
本発明は、携帯電話或いはその他のワイヤレス機器の使用が安全性或いはセキュリティーの問題を引き起こす可能性のある自動車及び飛行機内部などの場所において、より一層の安全性或いはセキュリティーを提供するシステム及び手段に関するものである。本形状の発明の必要性は、運転中の携帯電話の使用に関連した自動車事故、及びさらには公共交通機関、特に民間航空機でのワイヤレス機器の使用に関連するセキュリティー上の問題により、さらに重要に成ってきた。
【背景技術】
【０００２】
また、ワイヤレス機器使用を管理する適切なシステムの下で、必要な場合医者、警察職員、及び政府の役人などの緊急応答スタッフに連絡する必要があるとき及びそのような場合に、彼らが通常のオフィスや事業所にいない場合でも、緊急メッセージがより効率よく通信できることが高く評価されてきた。
【０００３】
従って、本発明は、携帯電話及び携帯コンピュータ機器などを含むワイヤレス機器の使用の急増の結果として近年起こった、安全性及びセキュリティーに関する様々な必要性への対応であるとみなされる。この問題点は、従来技術では扱われなかった。
【発明の開示】
【発明が解決しようとする課題】
【０００４】
本発明は、安全性若しくはセキュリティーの目的のため、各種の電磁（以下、"ＥＭ"）周波数からの防護のため、指定された領域あるいは場所に置かれたワイヤレス通信機器の送受信を遮断するシステムに関するものである。さらに、前記システムは、特に前記ワイヤレス機器から送信される前記選択可能な周波数を検出及び特定する手段と、前記装置によって受信される周波数を遮断するサブシステムと、前記検出する手段と前記遮断する手段間で電気的通信をする手段と、前記遮断する手段を起動する手段とを含む。前記システムは、前記ワイヤレス機器と十分に近い位置関係に位置しなければならない、これによりこのワイヤレス機器によって発生する周波数を受信し、及び許容されない出力レベルを使用せずにそこでのノイズを遮断できる。
【０００５】
従って、本発明の目的は、携帯電話の使用中に運転者の集中を妨げるような状況において、自動車内の運転者及び同乗者の安全性を向上させる手段を提供するものである。
【０００６】
もう１つの目的として、民間航空機などの慎重を期する公共の場において携帯電話およびワイヤレス機器などが安全性或いはセキュリティー問題を引き起こすような時は、このような機器の使用を事実上、自動的に阻止するセキュリティー装置を提供することである。
【０００７】
本発明の更なる目的は、自動車が運転者によるそのような機器の使用を禁止する管轄区域内にいるとき、ワイヤレス機器からの発信を選択的に遮断するため、自動車およびボートなどの乗り物内部に小型で本質的に携帯型システムが選択的に設置される、前述の形式のシステム及び手段を提供することである。
【０００８】
更なる目的として、その他の電子及び通信システムに対して電磁気インタフェイス問題を提起することなく、ワイヤレス機器の操作を不可能にするのに十分なパワーおよび有効範囲を有する遮断信号或いはノイズの発生を可能にする前述の形式のシステムを提供することである。
【０００９】
また、更なる目的は、同時に或いは必要に応じて交換された複数の異なる電磁周波数に関連する送信を特定し、遮断することが可能な前述の形式のシステムを提供することである。
【００１０】
本発明の上記、さらにその他の目的や利点は、以下ここに添えられた図面の簡単な説明、発明を実施するための最良の形態、及び請求項から明らかである。
【発明を実施するための最良の形態】
【００１１】
図１に関して、ワイヤレス通信機器８の送信の選択的遮断に関する本発明のシステムは、アンテナ１０と入出力フィルター１２を含む。当該の１若しくはそれ以上の周波数のみ、つまり、遮断されている無線周波数はフィルター１２を通ってシステム受信器１４へ送られ、その出力は検波器１６に送られ、前記機能は遮断されている周波数を有する信号がアンテナ１０によって受信されたことを確認する。すなわち、アンテナ１０、フィルター１２、受信機１４及び検波器１６は集合的に、前記機器８から送信された選択された電磁周波数を検知し、特定する手段を有する。遮断されている信号が確認されると、この情報はシステム制御ロジック１８と電子的に関連付けられ、これはタイミング機能と同様、例えばワイヤレスタワー（図示せず）からの送信に伴う側波帯の形で行われるようなシステム無効信号の認識の手段をも含む。そのような緊急無効信号は、ワイヤレス装置の所持者／操作者へ緊急若しくは高セキュリティーなメッセージを伝達しなければならない場合に、前記システムの動作を一時停止する重要性がある場合に貴重である。また、機器８は、それ自身そのような無効機能と共に提供できる。
【００１２】
検波器１６からの起動信号の受信に続き、タワー若しくは前記ワイヤレス機器８からの入力信号にセキュリティーの無効が伴わないことを確認した後、制御回路１８はワイヤレス装置８からのあらゆる後続送信を妨害するために十分な周波数およびパワーを有するノイズ源２０を作動する。制御回路１８はまた、ノイズ源２０の動作時間を決定するすることが知られており、ワイヤレス機器の永続的無効化を防ぎ、前記ワイヤレス機器８から生じる新規、後続、或いは異なる信号を制御回路が検討することを許容する。
【００１３】
その後、前記ノイズ源２０は発信器２２へ送られ、それからこの発信器は前記ノイズ源のノイズを前記制御回路によって決められた時間だけ送信する。もし本発明のシステムが例によって自動車若しくは旅客機の領域内に設置されるならば、ワイヤレス機器８へ遮断ノイズを送信するのに必要とされる出力レベルは通常、前記電磁気信号を遮断するのに十分な、最小限でよい。
【００１４】
当然のことながら、ワイヤレス機器８には携帯電話、ワイヤレス・コンピュータ、デジタル・パーソナル・アシスタントなどが含まれるが、これだけに限られない多くの種類の異なる機器を有する。
【００１５】
また、本発明のシステムにはオン／オフ作動スイッチが含まれていることが知られており、自動車運転中の携帯電話およびワイヤレス機器の使用を禁止する地方自治体あるいは州全体の管轄区域内で選択的に使用できる。しかし、当然のことながらスイッチがオフでない場合、本システムに基づいて装置は継続的スタンバイ・モードとなり、携帯電話或いはワイヤレスタワーからの非緊急の着信してくる通信を含む選択可能な範囲外の全ての電磁気信号あるいは周波数は無視される。換言すれば、本発明は管轄地域内において前記ワイヤレス機器からの送信を検出することによって作動し、特定の電磁周波数内に当てはまるワイヤレス機器への着通信を遮断しようとはしない。従って、操作者が電話に出て（或いはワイヤレス機器への入力キーを押して）送信を試みない限り、携帯電話あるいはワイヤレス機器によって通常のようにメッセージが受信される。そのような場合、前記ワイヤレス機器はメッセージを受け取ったり、その電話をその他の場所へ転送したり、或いはポケットベル伝言をその他の場所へ発信したりするような状況は、本発明のシステムが休止中のスタンバイ状態を保っていることを意味する。しかし、携帯電話或いはワイヤレスの操作者が着信電話に出た場合、携帯電話或いはワイヤレス機器によって試みられる送信の数秒以内に、前記信号がアンテナ１０、フィルター１２、受信機１４、及び検波器１６によって受信され、前述したように、結果として発信器２２からの送信によって同報通信し、それ以後の前記ワイヤレス機器の着送信が遮断される。
【００１６】
アンテナ１０は前記入力／出力フィルター１２および送信機２２の両目的に使用可能なマイクロ波を有することが知られている。また、本発明のシステムの遮断機能も、遮断モードでの前記システムの作動が望ましくない状況においての緊急事態を知らせるための代替手段として、遠隔操作での解除が可能であることも知られている。
【００１７】
本発明の好ましい実施例が示され説明されているが、当然のこととして本明細書で具体的に示し説明されている以外の手段でも実施することができ、本明細書に添付されている請求項で説明する本発明の根本的な構想或いは原理から逸脱しない範囲での部品の形式及び処置について、前記実施例内においてある特定の変更が加えられるものである。
【図面の簡単な説明】
【００１８】
【図１】図１は、本発明のシステムを示したブロック図。
【符号の説明】
【００１９】
８  ワイヤレス機器
１０  アンテナ
１２  入出力フィルター
１４  受信器
１６  検波器
１８  制御回路
２０  ノイズ源
２２  送信機
【図１】
2005514819.tif 000003
【国際調査報告】
2005514819.tif 000004